(57)【特許請求の範囲】
【請求項１】
物体側より像側へ順に、正の屈折力を有する第１レンズ群、負の屈折力を有する第２レンズ群、光路を折り曲げるためのプリズム、負の屈折力の第３レンズ群、正の屈折力の第４レンズ群、負の屈折力の第５レンズ群、正の屈折力の第６レンズ群より構成され、広角端から望遠端へのズーミングに際して、前記第１レンズ群は物体側へ移動し、前記第２レンズ群は像側へ移動し、前記第３レンズ群と前記第５レンズ群は不動であり、前記第４レンズ群と前記第６レンズ群が移動するズームレンズにおいて、
広角端から望遠端へのズーミングにおける前記第１レンズ群の移動量をＭ１、広角端から望遠端へのズーミングにおける前記第２レンズ群の移動量をＭ２、前記第２レンズ群の焦点距離をｆ２、前記第４レンズ群の焦点距離をｆＭａ、望遠端における全系の焦点距離をｆｔとするとき、
０．１＜｜Ｍ１／Ｍ２｜＜２０．０
０．０５０＜｜ｆ２／ｆｔ｜＜０．１７５
０．１＜｜ｆ２／ｆＭａ｜≦０．５１２
なる条件式を満足することを特徴とするズームレンズ。
【請求項２】
前記第１レンズ群の焦点距離をｆ１、広角端における全系の焦点距離をｆｗとするとき、
４．５＜ｆ１／ｆｗ＜１０．０
なる条件式を満足することを特徴とする請求項１に記載のズームレンズ。
【請求項３】
広角端における前記第２レンズ群の横倍率をβ２ｗ、望遠端における前記第２レンズ群の横倍率をβ２ｔとするとき、
３．０＜β２ｔ／β２ｗ＜６．０
【請求項４】
請求項１乃至３のいずれか１項に記載のズームレンズにおいて、
０．０２＜Ｍ２／ｆｔ＜０．２
なる条件式を満足することを特徴とするズームレンズ。
【請求項５】
前記第４レンズ群と前記第２レンズ群の、望遠端における光軸上の間隔をＤＭｔ、広角端における全系の焦点距離をｆｗとするとき、
１．０＜ＤＭｔ／ｆｗ＜１０．０
なる条件式を満足することを特徴とする請求項１乃至４のいずれか１項に記載のズームレンズ。
【請求項６】
前記第３レンズ群は１つの負レンズより構成されていることを特徴とする請求項１乃至５のいずれか１項に記載のズームレンズ。
【請求項７】
前記第５レンズ群は１つの負レンズより構成されていることを特徴とする請求項１乃至６のいずれか１項に記載のズームレンズ。
【請求項８】
前記第４レンズ群を、光軸方向と垂直方向の成分を持つように移動させて、前記ズームレンズが振動したときの撮影画像のぶれを補正することを特徴とする請求項１乃至７のいずれか１項に記載のズームレンズ。
【請求項９】
固体撮像素子に像を形成することを特徴とする請求項１乃至８のいずれか１項に記載のズームレンズ。
【請求項１０】
請求項１乃至９のいずれか１項に記載のズームレンズと、該ズームレンズによって形成される像を受光する固体撮像素子とを有していることを特徴とする撮像装置。
【発明の詳細な説明】
【技術分野】
【０００１】
本発明はズームレンズ及びそれを有する撮像装置に関し、例えばビデオカメラ、デジタルスチルカメラ、監視用カメラ、銀塩写真用のカメラ、放送用カメラ等に好適なものである。
【背景技術】
【０００２】
近年、固体撮像素子を用いたビデオカメラ、デジタルスチルカメラ、そして銀塩フィルムを用いたフィルムカメラ等の撮像装置は高機能化され、また装置全体が小型化されている。そしてそれに伴い、これらの撮像装置に用いられる撮影光学系には、高ズーム比で全体が小型であり、カメラの厚み（前後方向の厚み）を薄くできるズームレンズであることが求められている。
【０００３】
カメラの小型化とズームレンズの高ズーム比化を図るため、非撮影時に各レンズ群の間隔を撮影状態と異なる間隔まで縮小してカメラ筐体内に収納する所謂沈胴式のズームレンズが知られている。またカメラの厚みを薄くするために、撮影光学系の光軸を９０°折り曲げる反射部材（プリズム部材）を光路中に配置した所謂屈曲式のズームレンズが知られている。これらのうち、沈胴時に撮像装置の厚み方向の薄型化を図りつつ、高ズーム比化のために、レンズ群間に光路を屈曲させるための屈曲手段（反射手段）を設けたズームレンズが知られている（特許文献１、２）。
【０００４】
特許文献１、２では、物体側より像側へ順に、正、負、正、正の屈折力の第１レンズ群乃至第４レンズ群よりなり、第１レンズ群と第３レンズ群がズーミングの際に移動し、第２レンズ群と第３レンズ群の間に光路を折り曲げるための屈曲手段を設けている。特許文献１、２ではズーム比６〜１０程度のズームレンズを開示している。この他物体側より像側へ順に、正、負、正、負、正の屈折力の５つのレンズ群より成り、第１レンズ群中又は第２レンズ群中に光路を折り曲げる反射手段を設けたズームレンズが知られている（特許文献３）。
【先行技術文献】
【特許文献】
【０００５】
【特許文献１】特開２００７−０２５１２３号公報
【特許文献２】特開２００７−２７９５４１号公報
【特許文献３】特開２００８−１９１２９１号公報
【発明の概要】
【発明が解決しようとする課題】
【０００６】
一般にズームレンズを小型化するためには、ズームレンズを構成する各レンズ群の屈折力（光学的パワー＝焦点距離の逆数）を強めつつ、レンズ枚数を削減すれば良い。しかしながら、このように構成したズームレンズは、各レンズ面の屈折力の増加に伴いコバ厚を確保するためにレンズ肉厚が増してしまい、特に前玉有効径が増大し、レンズ全長の短縮が困難になる。また、同時に望遠端において色収差などの諸収差の発生が多くなり、これらの補正が困難になってくる。ズームレンズにおいて高ズーム比化を図りつつ、全系の小型化を図るには、各レンズ群の屈折力と各レンズ群のズーミング時の移動量等を適切に設定することが重要となる。また、ズームレンズを構成するレンズ群の間に光路を折り曲げるための屈曲手段（反射手段）を設け、光路を屈曲させるとカメラの厚み方向の薄型化および、屈曲後のレンズ長を短縮化し、カメラ全体の小型化が容易になる。
【０００７】
しかしながら、これらの効果を得るためにはズームレンズのレンズ構成を適切に設定し、かつ反射部材の光路中の配置位置、そしてズーミングの際の各レンズ群の移動量等を適切に設定することが重要になってくる。特に各レンズ群の屈折力やズーミング時の変倍用のレンズ群の移動量等が適切でないと、ズーミングに際して諸収差の変動が多くなり、またレンズ系全体の小型化が困難になる。
【０００８】
本発明は、高ズーム比で良好なる画像を容易に得ることができ、しかもカメラに適用したときカメラ等の厚みを薄くすることができるズームレンズ及びそれを用いた撮像装置の提供を目的とする。
【課題を解決するための手段】
【０００９】
本発明のズームレンズは、物体側より像側へ順に、正の屈折力を有する第１レンズ群、負の屈折力を有する第２レンズ群、光路を折り曲げるためのプリズム、負の屈折力の第３レンズ群、正の屈折力の第４レンズ群、負の屈折力の第５レンズ群、正の屈折力の第６レンズ群より構成され、広角端から望遠端へのズーミングに際して、前記第１レンズ群は物体側へ移動し、前記第２レンズ群は像側へ移動し、前記第３レンズ群と前記第５レンズ群は不動であり、前記第４レンズ群と前記第６レンズ群が移動するズームレンズにおいて、広角端から望遠端へのズーミングにおける前記第１レンズ群の移動量をＭ１、広角端から望遠端へのズーミングにおける前記第２レンズ群の移動量をＭ２、前記第２レンズ群の焦点距離をｆ２、前記第４レンズ群の焦点距離をｆＭａ、望遠端における全系の焦点距離をｆｔとするとき、
０．１＜｜Ｍ１／Ｍ２｜＜２０．０
０．０５０＜｜ｆ２／ｆｔ｜＜０．１７５
０．１＜｜ｆ２／ｆＭａ｜≦０．５１２
なる条件式を満足すること
を特徴としている。
【発明の効果】
【００１０】
本発明によれば、高ズーム比で良好なる画像を容易に得ることができ、しかもカメラに適用したときカメラ等の厚みを薄くすることができるズームレンズが得られる。
【図面の簡単な説明】
【００１１】
【図１】本発明の実施例１の広角端におけるレンズ断面図
【図２】（Ａ）、（Ｂ）、（Ｃ）  本発明の実施例１に対応する数値実施例１の広角端、中間のズーム位置、望遠端における収差図
【図３】本発明の参考例３の広角端におけるレンズ断面図
【図４】（Ａ）、（Ｂ）、（Ｃ）  本発明の参考例３に対応する数値実施例１の広角端、中間のズーム位置、望遠端における収差図
【図５】本発明の実施例２の広角端におけるレンズ断面図
【図６】（Ａ）、（Ｂ）、（Ｃ）  本発明の実施例２に対応する数値実施例１の広角端、中間のズーム位置、望遠端における収差図
【図７】本発明の参考例１の広角端におけるレンズ断面図
【図８】（Ａ）、（Ｂ）、（Ｃ）  本発明の参考例１に対応する数値実施例１の広角端、中間のズーム位置、望遠端における収差図
【図９】本発明の参考例２の広角端におけるレンズ断面図
【図１０】（Ａ）、（Ｂ）、（Ｃ）  本発明の参考例２に対応する数値実施例１の広角端、中間のズーム位置、望遠端における収差図
【図１１】本発明の実施例１のズームレンズのレンズ断面図
【図１２】本発明の撮像装置の要部概略図
【発明を実施するための形態】
【００１２】
以下、本発明のズームレンズ及びそれを有する撮像装置について説明する。本発明のズームレンズは、物体側より像側へ順に、正の屈折力を有する第１レンズ群、負の屈折力を有する第２レンズ群、光路を折り曲げるためのプリズム、複数のレンズ群を含む後群より構成されている。広角端に比べ望遠端において第１レンズ群は物体側へ、第２レンズ群は像側へ移動している。
【００１３】
後群は、物体側より像側へ順に負の屈折力の第３レンズ群、正の第４レンズ群、負の屈折力の第５レンズ群、正の屈折力の第６レンズ群より構成され、ズーミングに際して第３、第５レンズ群は不動であり、ズーミングに際して第４、第６レンズ群は移動する。
【００１４】
図１は本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。図３は本発明の参考例３のズームレンズの広角端におけるレンズ断面図である。図４（Ａ）、（Ｂ）、（Ｃ）はそれぞれ参考例３のズームレンズの広角端、中間のズーム位置、望遠端における収差図である。図５は本発明の実施例２のズームレンズの広角端におけるレンズ断面図である。図６（Ａ）、（Ｂ）、（Ｃ）はそれぞれ実施例２のズームレンズの広角端、中間のズーム位置、望遠端における収差図である。図７は本発明の参考例１のズームレンズの広角端におけるレンズ断面図である。図８（Ａ）、（Ｂ）、（Ｃ）はそれぞれ参考例１のズームレンズの広角端、中間のズーム位置、望遠端における収差図である。図９は本発明の参考例２のズームレンズの広角端におけるレンズ断面図である。図１０（Ａ）、（Ｂ）、（Ｃ）はそれぞれ参考例２のズームレンズの広角端、中間のズーム位置、望遠端における収差図である。各実施例ではプリズムに設けた内面反射面で光路を折り曲げているが各レンズ断面図では便宜上光路を展開した状態で示している。図１１は本発明の実施例１において反射手段（プリズム）に設けた内面反射面で光路を折り曲げたときのレンズ断面図である。
【００１５】
図１２は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ＬＲは複数のレンズ群を含む後群である。ＳＰはＦナンバー光束を制限する開口絞り、ＦＲは不要光をカットするフレアー絞りである。ＰＲは内面反射面を有し、光路上の光路を９０度又は９０度前後折り曲げるプリズム（反射手段）である。Ｇは光学フィルター、フェースプレート、水晶ローパスフィルター、赤外カットフィルター等に相当する光学ブロックである。
【００１６】
ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。収差図において、ｄ、ｇは各々ｄ線及びｇ線、ΔＭ，ΔＳはメリディオナル像面、サジタル像面、倍率色収差はｇ線によって表している。ωは半画角（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。
【００１７】
各実施例のズームレンズは、物体側より像側へ順に、正の屈折力を有する第１レンズ群Ｌ１、負の屈折力を有する第２レンズ群Ｌ２、光路を折り曲げるためのプリズムＰＲ、複数のレンズ群を含む後群ＬＲを有している。そして広角端から望遠端への変倍に際し、広角端に比べて望遠端において第１レンズ群Ｌ１が物体側、第２レンズ群Ｌ２が像側へ相対的に移動してズーミングを行っている。
【００１８】
各実施例では、ズーミングに際し、広角端に比べて望遠端において第１レンズ群Ｌ１が物体側に位置する様に移動させている。これにより広角端におけるレンズ全長を短くし、前玉有効径の小型化を図りつつ、高いズーム比を得ている。特に、各実施例では、正の屈折力の第１レンズ群Ｌ１を物体側へ移動することで第２レンズ群Ｌ２に大きな変倍効果を持たせて第１レンズ群Ｌ１、第２レンズ群Ｌ２の屈折力をあまり大きくすることなく１０
倍程度の高ズーム比を得ている。
【００１９】
広角端から望遠端へのズーミングにおける第１、第２レンズ群Ｌ１、Ｌ２の移動量を各々Ｍ１、Ｍ２とする。第２レンズ群Ｌ２の焦点距離をｆ２、望遠端における全系の焦点距離をｆｔとする。このとき、
０．１＜｜Ｍ１／Ｍ２｜＜２０．０          ・・・（１）
０．０５０＜｜ｆ２／ｆｔ｜＜０．１７５    ・・・（２）
なる条件式を満足することを特徴としている。ここで移動量Ｍ１，Ｍ２は広角端に比べ望遠端での光軸方向の像面に対する各レンズ群の変位量（位置の差）であり、符号は物体側を負、像側を正とする。
【００２０】
条件式（１）は前玉径を小型にしつつ高ズーム比化するために、変倍に寄与する第１レンズ群Ｌ１、第２レンズ群Ｌ２の広角端から望遠端への変倍の際の移動量Ｍ１、Ｍ２の範囲を適切に定めたものである。一般に、広画角かつ高ズーム比化するためには変倍に寄与するレンズ群の屈折力を大きくし、また移動量を大きくすれば良い。しかしながら、屈折力を大きくしすぎると収差の補正が困難になり良好な性能が得られない。また、収差補正をするため構成レンズ枚数を増やすと、カメラの薄型化が困難になる。さらに、移動量を大きくしすぎるとやはりレンズ全長が長くなりカメラの小型化が困難になる。条件式（１）の下限を超えて第１、第２レンズ群Ｌ１、Ｌ２の移動量Ｍ１、Ｍ２の比が小さくなると、少ない移動量で高ズーム比化を図るために第１レンズ群Ｌ１の屈折力を強めなければならず、前玉有効径が大きくなる。また、主に望遠端において球面収差、軸上色収差、ズーム中間域においてコマ収差の補正が困難になる。また、第１レンズ群Ｌ１の屈折力が強くなるために各レンズ群の傾き・平行偏芯敏感度が高くなり、カメラを組み立てる際および通常撮影時に、メカ部品のガタなどによる偏芯で良好な光学性能を得るのが困難になる。
【００２１】
条件式（１）の上限を超えて第１、第２レンズ群Ｌ１、Ｌ２の移動量Ｍ１、Ｍ２の比が大きくなると、少ない移動量で高ズーム比化を図るために第２レンズ群Ｌ２の屈折力を強めなければならない。そうすると、主に広角端において像面湾曲、倍率色収差の補正、望遠端において軸上色収差の補正、ズーム全域において画面周辺の像面の変動を抑制するのが困難になる。また、主に変倍に寄与する第２レンズ群Ｌ２の屈折力が強くなるために各レンズ群の傾き・平行偏芯敏感度が高くなり、カメラを組み立てる際および通常撮影時に、メカ部品のガタなどによる偏芯で良好な光学性能を得るのが困難になる。さらに、第１レンズ群Ｌ１の移動量Ｍ１の増大に伴いズーミング時の像ゆれが増大し、動画時に良好な光学性能を得るのが困難になる。
【００２２】
条件式（２）は第２レンズ群Ｌ２の焦点距離ｆ２と望遠端における全系の焦点距離ｆｔの比を適切にし、高ズーム比化しつつ、ズーム全域で良好な光学性能を得るためのものである。条件式（２）の下限を超えて第２レンズ群Ｌ２の焦点距離が全系の焦点距離ｆｔに比べて小さくなると主に広角端において像面湾曲、倍率色収差の補正、ズーム全域において画面周辺の像面の変動を抑制するのが困難になる。また、主に変倍に寄与する第２レンズ群Ｌ２の屈折力が強くなるために各レンズ群の傾き・平行偏芯敏感度が高くなり、カメラを組み立てる際および通常撮影時に、メカ部品のガタなどによる偏芯で良好な光学性能を得るのが困難になる。条件式（２）の上限を超えて第２レンズ群Ｌ２の焦点距離が全系の焦点距離ｆｔに比べて大きくなると高ズーム比化するために第２レンズ群Ｌ２の移動量を増やさなければならない。この結果、レンズの全長が長くなり、カメラが大型化してくる。また、第１、第２レンズ群の有効径が増大するため良くない。
【００２３】
以上のように条件式（１）、（２）を満足するように広角端と望遠端における第１レンズ群Ｌ１、第２レンズ群Ｌ２の移動量および、第２レンズ群Ｌ２の屈折力を適切に設定している。これにより、ズーム全域で高い光学性能を維持した高ズーム比で前玉有効径の小さい小型なズームレンズを達成している。
【００２４】
尚、更に好ましくは条件式（１）、（２）の数値範囲を次の如く設定するのが良い。
０．２＜｜Ｍ１／Ｍ２｜＜１５．０      ・・・（１ａ）
０．１００＜｜ｆ２／ｆｔ｜＜０．１７５  ・・・（２ａ）
更に好ましくは条件式（１ａ）、（２ａ）の数値範囲を次の如く設定するのが良い。
０．３６＜｜Ｍ１／Ｍ２｜＜１２．００    ・・・（１ｂ）
０．１２０＜｜ｆ２／ｆｔ｜＜０．１７０  ・・・（２ｂ）
以上の如く構成することにより、広画角かつ高ズーム比でズーム全域にわたり高い光学性能を有した小型なズームレンズを得ることができる。
【００２５】
本発明において、更に好ましくは次の諸条件のうち１以上を満足するのが良い。第１レンズ群Ｌ１の焦点距離をｆ１とする。広角端における全系の焦点距離をｆｗとする。広角端と望遠端における第２レンズ群Ｌ２の横倍率をそれぞれβ２ｗ、β２ｔとする。第２レンズ群Ｌ２と、第４レンズ群との望遠端における間隔をＤＭｔとする。第４レンズ群の焦点距離をｆＭａとする。
【００２６】
このとき
４．５＜ｆ１／ｆｗ＜１０．０        ・・・（３）
３．０＜β２ｔ／β２ｗ＜６．０      ・・・（４）
０．０２＜Ｍ２／ｆｔ＜０．２０      ・・・（５）
１．０＜ＤＭｔ／ｆｗ＜１０．０      ・・・（６）
０．１＜｜ｆ２／ｆＭａ｜≦０．５１２・・・（７）
なる条件式のうち１以上を満足するのが良い。
【００２７】
条件式（３）は全系を小型にしつつ高ズーム比化するために、第１レンズ群Ｌ１の焦点距離ｆ１と広角端における全系の焦点距離ｆｗとの比を適切に定めたものである。条件式（３）の下限を超えて第１レンズ群Ｌ１の焦点距離ｆ１が広角端における全系の焦点距離ｆｗに比べて小さくなりすぎると、広画角化した際に主に広角端において倍率色収差の補正が困難になる。また、高ズーム比化した際に望遠端においては軸上色収差、倍率色収差が悪化する。また、第１レンズ群Ｌ１を構成する正レンズのコバの厚みを確保するのが困難になり、製造のために有効径を大きくしなければならず前玉有効径が大きくなるため良くない。さらに、組み立ての際に第１レンズ群Ｌ１の偏芯敏感度が高くなり、光学性能が劣化してくるため良くない。条件式（３）の上限を超えて第１レンズ群Ｌ１の焦点距離ｆ１が広角端における全系の焦点距離ｆｗに比べて大きくなると高ズーム化した際にズーミング時において第１レンズ群Ｌ１の移動量が大きくなり、全系が大型化してくる。また、望遠端において球面収差の補正が困難になる。この他ズーミングに際して第１レンズ群Ｌ１の移動量が増大し、ズーミング時の像ゆれが大きくなり、動画撮影時に良好な光学性能を得るのが困難になる。
【００２８】
条件式（４）は全系が小型であり、かつ高いズーム比を得るために広角端および望遠端における第２レンズ群Ｌ２の横倍率β２ｗ、β２ｔを適切に定めたものである。条件式（４）の下限値を超えて広角端における第２レンズ群Ｌ２の横倍率β２ｗが望遠端における横倍率β２ｔに比べて大きくなりすぎるとズーミングに際して第２レンズ群Ｌ２の移動量が大きくなる。このため、レンズ全長が増大し、大型化してくるので良くない。条件式（
４）の上限値を超えて広角端における第２レンズ群Ｌ２の横倍率β２ｗが望遠端における横倍率β２ｔに比べて小さくなりすぎるとズーム全域に渡ってコマ収差および像面変動の補正が困難になる。また、前玉有効径が増大してくるため、全系の小型化が困難になる。
【００２９】
条件式（５）は全系が小型でかつ高いズーム比を得るためにズーミング時の第２レンズ群Ｌ２の移動量Ｍ２と望遠端における全系の焦点距離ｆｔの比を適切に定めたものである。条件式（５）の下限値を超えて第２レンズ群Ｌ２の移動量Ｍ２が望遠端における全系の焦点距離ｆｔに比べて小さくなりすぎると、高ズーム比化するために主に変倍に寄与する第２レンズ群Ｌ２の屈折力を強めなければならない。この結果、主に広角端において像面湾曲、倍率色収差の補正、ズーム全域における画面周辺の像面の変動を抑制するのが困難になる。また、各レンズ群の傾き・平行偏芯敏感度が高くなり、カメラを組み立てる際および通常撮影時に、メカ部品のガタなどによる偏芯で良好な光学性能を得るのが困難になる。条件式（５）の上限を超えて第２レンズ群Ｌ２の移動量Ｍ２が望遠端における全系の焦点距離ｆｔに比べて大きくなると高ズーム比化するためにレンズの全長が長くなり、カメラ全体が大型化してくる。また、第１、第２レンズ群の有効径が増大するため良くない。
【００３０】
条件式（６）は全系が小型でかつ高いズーム比を得るために、第２レンズ群Ｌ２と、ズーミングに際して移動するレンズ群のうち、後群ＬＲの中で最も物体側に位置するレンズ群Ｌａとの、望遠端における光軸上の間隔ＤＭｔに対する、広角端における全系の焦点距離の値を適切に定めたものである。ここでレンズ群Ｌａは実施例１，実施例２，参考例３では第４レンズ群Ｌ４が該当する。条件式（６）の下限値を超えると光路を折り曲げるプリズムによる周辺光量のケラレが生じる。この結果良好な光学性能を得るのが困難になる。条件式（６）の上限を超えると、レンズ全長が伸びる。このため、全系の小型化が困難になる。また高ズーム比を得るためには第２レンズ群Ｌ２と第４レンズ群Ｌ４の屈折力を強めなければならない。この結果、各レンズ群の傾き・平行偏芯敏感度が高くなり、カメラを組み立てる際および通常撮影時に、メカ部品のガタなどによる偏芯で良好な光学性能を得るのが困難になる。
【００３１】
条件式（７）は全系が小型でかつ高いズーム比を得るために、ズーミングに際して移動するレンズ群のうち、後群ＬＲの中で最も物体側に位置する第４レンズ群Ｌ４の焦点距離に対する、第２レンズ群Ｌ２の焦点距離の値を適切に定めたものである。条件式（７）の下限値を超えて焦点距離ｆ２が焦点距離ｆＭａに比べて小さくなりすぎると主に広角端において像面湾曲、倍率色収差の補正、ズーム全域における画面周辺像面の変動を抑制するのが困難になる。また、プリズムで光路を屈曲した後のレンズ全長が長くなり、カメラの小型化が困難になる。さらに各レンズ群の傾き・平行偏芯敏感度が高くなり、カメラを組み立てる際および通常撮影時に、メカ部品のガタなどによる偏芯で良好な光学性能を得るのが困難になる。条件式（７）の上限を超えて焦点距離ｆ２が焦点距離ｆＭａに比べて大きくなりすぎると高ズーム比化するためにレンズ全長が長くなり、カメラの小型化が困難になる。
【００３２】
尚、更に収差補正及びズーミングの際の収差変動を小さくしつつレンズ系全体の小型化を図るには、条件式（３）〜（６）の数値範囲を次の如く設定するのが好ましい。
【００３３】
４．６＜ｆ１／ｆｗ＜９．０                ・・・（３ａ）
３．０＜β２ｔ／β２ｗ＜５．０            ・・・（４ａ）
０．０４＜Ｍ２／ｆｔ＜０．１８            ・・・（５ａ）
１．５＜ＤＭｔ／ｆｗ＜６．０              ・・・（６ａ）
０．２０＜｜ｆ２／ｆＭａ｜≦０．５１２    ・・・（７ａ）
各実施例では第１レンズ群Ｌ１の有効レンズ径を小型にするために、第１レンズ群Ｌ１を構成するレンズの数がなるべく少なくなるようにしている。各実施例では、第１レンズ群Ｌ１を物体側から像側へ順に、負、正、正レンズの３枚のレンズより構成している。
【００３４】
具体的には、正レンズと負レンズの各１枚を接合した接合レンズと、正レンズより構成している。これにより高ズーム比を図る際に発生する球面収差と色収差を良好に補正している。
【００３５】
各実施例の第２レンズ群Ｌ２は１以上の非球面を有している。具体的には各実施例では第２レンズ群Ｌ２の最も物体側のレンズの片側または両側を非球面形状としている。これにより、主に広角端における倍率色収差、ズーム全域における像面湾曲を良好に補正している。
【００３６】
図１、図３、図５の実施例１，参考例３，実施例２について説明する。実施例１，参考例３，実施例２のレンズ断面図において、Ｌ１は正の屈折力の第１レンズ群、Ｌ２は負の屈折力の第２レンズ群である。後群ＬＲは負の屈折力の第３レンズ群Ｌ３、正の屈折力の第４レンズ群Ｌ４、負の屈折力の第５レンズ群Ｌ５は正の屈折力の第６レンズ群Ｌ６より構成されている。実施例１，参考例３，実施例２は６群ズームレンズである。広角端から望遠端へのズーミングに際して矢印のように第１、第２、第４、第６レンズ群Ｌ１、Ｌ２、Ｌ４、Ｌ６を移動させている。
【００３７】
具体的には、広角端から望遠端へのズーミングに際して矢印のように像面に対して相対的に、第１レンズ群Ｌ１を物体側へ、第２レンズ群Ｌ２を像側へ、第４レンズ群Ｌ４を物体側へ移動させている。これによって高ズーム比を図る際の第２レンズ群Ｌ２の変倍負担を少なし、第２レンズ群Ｌ２を小型にしつつ、カメラに適用したときのカメラ全体が薄くなるようにしている。またズーム全域における像面湾曲を少なくしつつ、全ズーム範囲にわたり高い光学性能を得ている。第６レンズ群Ｌ６を像側へ移動させた後に物体側へ更に像側へと移動させるように変曲点を２つ持つ軌跡で移動させている。また、第６レンズ群Ｌ６を光軸上移動させてフォーカシングを行うリヤーフォーカス式を採用し、前群（第１、第２レンズ群Ｌ１、Ｌ２）でフォーカシングするのに比べて全系の小型化を図っている。
【００３８】
望遠端において無限遠物体から近距離物体へフォーカスを行う場合には矢印６ｃに示すように第６レンズ群Ｌ６を前方に繰り出すことによって行っている。第６レンズ群Ｌ６に関する実線の曲線６ａと点線の曲線６ｂは各々無限遠物体と近距離物体にフォーカスしているときの広角端から望遠端へのズーミングに伴う際の像面変動を補正するための移動軌跡を示している。また、実施例１，参考例３，実施例２においては、負の屈折力の第５レンズ群Ｌ５でフォーカシングを行っても良い。この際には無限遠物体から近距離物体へのフォーカスを第５レンズ群Ｌ５を後方に繰り込むことによって行う。
【００３９】
実施例１，参考例３，実施例２においてプリズムＰＲ、第３レンズ群Ｌ３、第５レンズ群Ｌ５はズーミングのためには不動である。尚、ズーミングに際して第３、第５レンズ群Ｌ３，Ｌ５を必要に応じて他のレンズ群と独立に移動させても良い。第３レンズ群Ｌ３と第５レンズ群Ｌ５は、いずれも１つの負レンズより構成し、レンズ全長の短縮化及び全系の小型化を図っている。第４レンズ群Ｌ４は少なくとも１つの負レンズと２つの正レンズを有するようにして収差補正を良好に行っている。
【００４０】
具体的には物体側より像側へ順に、正レンズ、負レンズ、正レンズと負レンズを接合した接合レンズより構成している。これにより、ズーム全域における球面収差およびコマ収差、さらには防振時の偏芯によるコマ収差および倍率色収差を良好に補正している。また第４レンズ群Ｌ４は１以上の非球面を有している。これによってズーミングに伴う球面収差の変動を良好に補正している。実施例１、参考例３では開口絞りＳＰを第４レンズ群Ｌ４中に配置し、フレアー絞りＦＰを第４レンズ群Ｌ４の像側に配置し、いずれもズーミングに際して第４レンズ群Ｌ４を一体的に移動している。実施例２では開口絞りＳＰを第４レンズ群Ｌ４の物体側に配置し、ズーミングに際して独立に移動している。フレアー絞りＦＰは第４レンズ群Ｌ４の像側に配置し、ズーミングに際して第４レンズ群Ｌ４と一体的に移動している。
【００４１】
実施例１，参考例３，実施例２では正の屈折力の第４レンズ群Ｌ４の一部または全体を光軸に対し垂直方向の成分を持つように移動させて、光軸に対し垂直方向に像を変移させている。これにより光学系（ズームレンズ）全体が振動（傾動）したときの撮影画像のぶれを補正し、良好な光学性能を得ている。尚、第４レンズ群Ｌ４の一部又は全部の代わりに第５レンズ群Ｌ５を光軸に対し垂直方向の成分を持つように移動させて、撮影画像のぶれを補正しても良い。
【００４２】
本実施例及び以下に示す各実施例では、可変頂角プリズム等の光学部材や防振のためのレンズ群を新たに付加することなく防振を行うようにし、これによって光学系全体が大型化するのを防止している。なお、本実施例及び以下に示す各実施例ではレンズ群の全体または一部を光軸と垂直方向に移動させて防振を行っているが、移動方式はレンズ群の全体または一部を光軸に対して垂直方向の成分を持つように移動させれば、画像のぶれを補正することが可能である。例えば鏡筒構造の複雑化を許容すれば、光軸上に回転中心を持つようにレンズ群の全体または一部を回動させて防振を行っても良い。
【００４３】
図７の参考例１について説明する。参考例１のレンズ断面図においてＬ１は正の屈折力の第１レンズ群、Ｌ２は負の屈折力の第２レンズ群である。後群ＬＲは正の屈折力の第３レンズ群Ｌ３、正の屈折力の第４レンズ群Ｌ４より構成されている。参考例１は４群ズームレンズである。広角端から望遠端へのズーミングに際して矢印のように第１、第２、第３、第４レンズ群Ｌ１、Ｌ２、Ｌ３、Ｌ４を移動させている。具体的には広角端から望遠端へのズーミングに際して第１レンズ群Ｌ１を物体側へ、第２レンズ群Ｌ２を像側へ、第３レンズ群Ｌ３を物体側へ移動させている。第２レンズ群Ｌ２を像側へ移動させて主たる変倍を行っている。そして第４レンズ群Ｌ４を物体側に凸状の軌跡を有するように移動させて変倍に伴う像面変動を補正している。また第４レンズ群Ｌ４でフォーカシングを行っている。第４レンズ群Ｌ４の移動軌跡を物体側へ凸状の軌跡とするとことで、第３レンズ群Ｌ３と第４レンズ群Ｌ４との空間の有効利用を図り、レンズ全長の短縮化を効果的に達成している。
【００４４】
第４レンズ群Ｌ４に関する実線の曲線４ａと点線の曲線４ｂは、各々無限遠物体と近距離物体にフォーカスしているときの変倍に伴う像面変動を補正するための移動軌跡である。又、望遠端において無限遠物体から近距離物体へフォーカスを行う場合には、矢印４ｃに示すように第４レンズ群Ｌ４を前方に繰り出すことで行っている。参考例１においてプリズムＰＲはズーミングの際には不動である。開口絞りＳＰは第３レンズ群Ｌ３中に配置し、フレアー絞りＦＰは第３レンズ群Ｌ３の像側に配置し、いずれもズーミングに際して第３レンズ群Ｌ３と一体的に移動している。参考例１では第３レンズ群Ｌ３の一部または全部を光軸に対し垂直方向の成分を持つように移動させて、光軸に対し垂直方向に像を変移させている。これにより光学系（ズームレンズ）全体が振動（傾動）したときの撮影画像のぶれを補正し、良好な光学性能を得ている。
【００４５】
第３レンズ群Ｌ３は少なくとも１つの負レンズと２つの正レンズを有するようにして収差補正を良好に行っている。具体的には正レンズ、負レンズ、正レンズと負レンズとを接合した接合レンズより成っている。これにより、ズーム全域における球面収差およびコマ収差、さらには防振時の偏芯によるコマ収差および倍率色収差を良好に補正している。第３レンズ群Ｌ３は１以上の非球面を有している。これによりズーミングに伴う球面収差の変動を良好に補正している。
【００４６】
図９の参考例２について説明する。参考例２のレンズ断面図においてＬ１は正の屈折力の第１レンズ群、Ｌ２は負の屈折力の第２レンズ群である。後群ＬＲは正の屈折力の第３レンズ群Ｌ３、負の屈折力の第４レンズ群Ｌ４、正の屈折力の第５レンズ群Ｌ５より構成されている。参考例２は５群ズームレンズである。参考例２では、広角端から望遠端へのズーミングに際して矢印のように第１、第２、第３、第５レンズ群Ｌ１、Ｌ２、Ｌ３、Ｌ５を移動させている。これにより、第２レンズ群の変倍を一部分担し、第２レンズ群を薄くし、カメラの薄型化を図りつつ、高倍化を達成している。また、ズーム全域における像面湾曲の補正を行い、良好な光学性能を得ている。
【００４７】
参考例２では、広角端から望遠端へのズーミングに際して矢印のように像面に対して相対的に、第１レンズ群Ｌ１を物体側へ、第２レンズ群Ｌ２を像側へ、第３レンズ群Ｌ３を物体側へ移動させている。第５レンズ群Ｌ５はズーミングに際し、像側へ移動してから物体側へ移動し、さらに像側へ移動するといった変曲点を２回持つ軌跡で移動させている。第５レンズ群Ｌ５を光軸上移動させてフォーカシングを行うリヤーフォーカス式を採用している。第５レンズ群Ｌ５に関する実線の曲線５ａと点線の曲線５ｂは、各々無限遠物体と近距離物体にフォーカスしているときの広角端から望遠端へのズーミングに伴う像面変動を補正するための移動軌跡を示している。
【００４８】
参考例２において例えば、望遠端において無限遠物体から近距離物体へフォーカスを行う場合には、矢印５ｃに示すように第５レンズ群Ｌ５を前方に繰り出すことで行っている。また、負の屈折力の第４レンズ群Ｌ４でフォーカシングを行っても良い。この際には無限遠物体から近距離物体へのフォーカスを第４レンズ群Ｌ４を後方に繰り込むことによって行う。開口絞りＳＰは第３レンズ群Ｌ３中に配置し、フレアー絞りＦＰは第３レンズ群Ｌ３の像側に配置し、いずれもズーミングに際して第３レンズ群Ｌ３と一体的に移動している。参考例２においてプリズムＰＲ、第４レンズ群Ｌ４はズーミングのためには不動である。尚、ズーミングのための第４レンズ群Ｌ４を必要に応じて他のレンズ群と独立に移動させても良い。参考例２では第３レンズ群Ｌ３を光軸に対し垂直方向の成分を持つように移動させて、光軸に対し垂直方向に像を変移させている。これにより光学系（ズームレンズ）全体が振動（傾動）したときの撮影画像のぶれを補正し、良好な光学性能を得ている。参考例２において第４レンズ群Ｌ４を用いてズームレンズが振動したときの撮影画角のぶれを補正するようにしても良い。第３レンズ群Ｌ３は少なくとも１つの負レンズと２つの正レンズを有するようにして収差補正を良好に行っている。具体的には正レンズ、負レンズ、正レンズと負レンズとを接合した接合レンズより構成している。
【００４９】
これにより、ズーム全域における球面収差およびコマ収差、さらには防振時の偏芯によるコマ収差および倍率色収差を良好に補正している。第３レンズ群Ｌ３は１以上の非球面を有している。これによりズーミングに伴う球面収差の変動を良好に補正している。参考例２では第４レンズ群Ｌ４は１つの負レンズで構成している。これにより、レンズ全長を短縮し、カメラ小型化をしている。第５レンズ群Ｌ５を単一の正レンズより構成している。各実施例によれば以上の如く構成することにより、光学系全体が小型で、ズーム比１０倍程度の高ズーム比で、しかも全ズーム範囲にわたり高い光学性能を有したズームレンズが得られる。また各実施例のズームレンズは、図１１に示すように第２レンズ群Ｌ２と第３レンズ群Ｌ３との間に物体側からの光を折り曲げる反射部材ＰＲを含むことで、カメラの厚み方向を薄くすることを容易にしている。
【００５０】
図１１において各部材に付した符番は図１に示した符番と同じである。次に各実施例に示したようなズームレンズを撮影光学系として用いたデジタルスチルカメラの実施形態を図１２を用いて説明する。図１２において、２０はカメラ本体、２１は実施例１，参考例３，実施例２、参考例１，２で説明したいずれかのズームレンズによって構成された撮影光学系である。ＰＲはプリズムである。２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダである。このように本発明のズームレンズをデジタルスチルカメラ等の撮像装置に適用することにより、小型で高い光学性能を有する撮像装置が実現できる。
【００５１】
次に、本発明の実施例１，参考例３，実施例２、参考例１，２に各々対応する数値実施例１〜５を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］＋Ａ４ｈ4＋Ａ６ｈ
6＋Ａ８ｈ8
で表示される。但しＲは近軸曲率半径である。また例えば「Ｅ−Ｚ」の表示は「１０-Z」を意味する。数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側の面から最終面までの距離にバックフォーカスを加えたものである。また、各数値実施例における上述した条件式との対応を表１に示す。
【００５２】
［数値実施例１］
単位 mm
面データ
面番号       r        d      nd         νd
1         34.069    1.00   1.84666    23.9 
2         19.659    4.00   1.60311    60.6 
3        120.229    0.10 
4         20.434    2.50   1.69680    55.5 
5         73.395  (可変) 
6        327.566    0.80   1.84954    40.1 
7*         5.888    4.00 
8        -12.349    0.60   1.88300    40.8 
9         45.742    0.10 
10         22.231    2.10   1.94595    18.0 
11        -23.709  (可変) 
12          ∞       8.50   1.83400    37.2 
13          ∞       0.80 
14        -16.680    0.60   1.80518    25.4 
15        -23.146  (可変) 
16*         9.602    2.30   1.55332    71.7 
17*       -39.480    1.00 
18(絞り)    ∞       1.00 
19         11.792    0.70   1.84666    23.9 
20          7.863    0.70 
21*        28.350    2.00   1.55332    71.7 
22         -7.457    0.60   1.77250    49.6 
23        -16.922    0.35 
24(フレアー絞り)∞      (可変)                         
25        -23.266    0.70   1.48749    70.2 
26         57.732  (可変) 
27         15.839    2.60   1.48749    70.2 
28        -30.026  (可変) 
29          ∞       1.00   1.51633    64.1 
30          ∞       1.0
像面        ∞
非球面データ
第7面
K =-1.71269e-001  A 4=-2.50781e-005 
第16面
K =-1.71698e+000  A 4= 9.69184e-005  A 6=-1.01040e-006  A 8= 1.76003e-008
第17面
K = 1.79790e+001  A 4= 5.87754e-006 
第21面
K = 6.18823e+000  A 4=-7.36522e-005 
各種データ
ズーム比      9.50
焦点距離       5.13    11.50    48.74    36.04     5.83 
Fナンバー      3.40     4.69     5.74     5.27     3.62
画角          33.31    18.62     4.55     6.14    30.90 
像高           3.37     3.88     3.88     3.88     3.49 
レンズ全長    75.53    76.63    85.46    84.11    75.33 
BF             9.56     7.44     6.87     9.90     8.81 
d 5            0.60     4.17    15.48    13.88     0.89 
d11            6.02     3.54     1.06     1.31     5.52 
d15           13.66     6.22     0.30     0.65    12.36 
d24            1.48     8.92    14.84    14.49     2.78 
d26            7.17     9.28     9.85     6.83     7.92 
d28            7.90     5.78     5.21     8.24     7.15 
ズームレンズ群データ
群  始面    焦点距離
1    1      31.36
2    6      -7.25
3   12     -77.36
4   16      14.15
5   25     -33.92
6   27      21.67
7   29       ∞
【００５３】
単位 mm
面データ
面番号       r        d      nd         νd
1         37.973    1.20   1.84666    23.9 
2         21.912    3.75   1.48749    70.2 
3       50000.000    0.10 
4         21.042    2.30   1.69680    55.5 
5         97.541  (可変) 
6        569.747    1.05   1.85135    40.1 
7*         7.490    3.88 
8        -15.594    0.60   1.71300    53.9 
9         39.087    0.10 
10         20.359    1.85   1.94595    18.0 
11        -86.093  (可変) 
12          ∞       8.50   1.83400    37.2 
13          ∞       1.40 
14        -11.967    0.60   1.51633    64.1 
15        -18.110  (可変) 
16*         9.944    2.50   1.55332    71.7 
17*       -36.069    1.50 
18(絞り)    ∞       1.00 
19         12.222    0.60   1.84666    23.9 
20          7.719    1.30 
21         18.265    2.10   1.48749    70.2 
22        -12.411    0.60   1.77250    49.6 
23        -25.912    0.30 
24          ∞     (可変) 
25        -32.690    0.70   1.48749    70.2 
26         32.690  (可変) 
27         16.906    2.00   1.48749    70.2 
28        -38.134  (可変) 
29          ∞       1.00   1.51633    64.1 
30          ∞       1.0 
像面        ∞ 
非球面データ
第7面
K =-1.28711e-001  A 4=-1.40311e-005  A 6=-4.83079e-007 
第16面
K =-6.09172e-001  A 4=-3.96922e-005  A 6= 2.92135e-008  A 8=-1.13412e-009 
第17面
K =-6.89933e-001  A 4= 2.56587e-005 
各種データ
ズーム比      9.48 
焦点距離     6.48    21.19    61.49    55.37     8.68 
Fナンバー    3.48     4.49     5.74     5.51     4.06 
画角        29.07    10.36     3.61     4.00    24.05 
像高         3.60     3.88     3.88     3.88     3.88 
レンズ全長  83.54    84.88    88.07    87.88    83.30 
BF          10.46    12.29     7.90     9.80     8.49 
d 5          0.75     7.57    15.31    14.87     1.54 
d11         10.82     5.34     0.79     1.04     9.79 
d15         13.46     2.63     0.44     0.43    10.33 
d24          2.52    13.34    15.54    15.55     5.65 
d26          7.59     5.77    10.16     8.26     9.57 
d28          8.80    10.63     6.24     8.14     6.83 
ズームレンズ群データ
群  始面    焦点距離  
1    1      31.57  
2    6      -8.59  
3   14     -70.68  
4   16      15.50  
5   25     -33.41  
6   27      24.32  
【００５４】
［数値実施例３］
単位 mm
面データ
面番号       r        d      nd         νd
1         45.965    1.10   1.84666    23.9 
2         20.646    4.50   1.59282    68.6 
3        148.532    0.10 
4         23.640    2.70   1.88300    40.8 
5         97.500  (可変) 
6        121.445    1.00   1.84954    40.1 
7*         5.321    3.40 
8        -10.529    0.60   1.88300    40.8 
9         63.694    0.10 
10         20.440    1.60   1.94595    18.0 
11        -25.819  (可変) 
12          ∞       8.00   1.83400    37.2 
13          ∞       0.70 
14        -17.119    0.50   1.48749    70.2 
15        -32.274  (可変) 
16(絞り)    ∞     (可変) 
17*         6.917    2.80   1.55332    71.7 
18*       -39.185    0.94 
19         16.248    0.56   1.83400    37.2 
20          6.106    1.08 
21          8.956    3.10   1.48749    70.2 
22         -8.123    0.60   1.83481    42.7 
23        -16.065    0.40 
24(フレアー絞り)∞     (可変)                           
25         43.211    0.60   1.48749    70.2 
26          9.520  (可変) 
27         10.837    3.90   1.48749    70.2 
28        -11.910    0.50   1.83400    37.2 
29        -18.581  (可変) 
30          ∞       1.00   1.51633    64.1 
31          ∞       1.0
像面        ∞
非球面データ
第7面
K =-6.21150e-002  A 4=-1.25254e-004  A 6=-3.37844e-006  A 8=-8.30551e-008
第17面
K =-5.18633e-001  A 4=-4.18160e-005  A 6= 3.45532e-007  A 8= 7.52442e-009
第18面
K =-4.99082e+000  A 4= 8.48305e-005 
各種データ
ズーム比     9.49 
焦点距離       4.07     9.04    38.60    26.76     4.66 
Fナンバー      3.60     4.50     5.74     5.00     3.80
画角          37.36    21.56     5.28     7.60    34.57 
像高           3.11     3.57     3.57     3.57     3.21 
レンズ全長    73.92    74.49    88.44    86.00    73.71 
BF             8.17     5.31     5.92     8.45     7.27 
d 5            0.40     1.98    16.93    14.39     0.40 
d11            3.00     2.00     0.99     1.09     2.80 
d15            8.55     4.56     1.45     1.54     7.99 
d16            8.29     3.75     1.46     1.54     7.27 
d24            0.58     9.11    14.51    14.33     2.16 
d26            6.15     9.01     8.41     5.88     7.06 
d29            6.51     3.65     4.26     6.79     5.61 
ズームレンズ群データ
群  始面    焦点距離
1    1      32.94
2    6      -6.29
3   12     -75.60
4   16       ∞
5   17      13.51
6   25     -25.19
7   27      17.04
8   30       ∞
【００５５】
［数値実施例４］
単位 mm
面データ
面番号       r        d      nd         νd
1         40.213    1.00   1.84666    23.9 
2         20.408    4.20   1.60311    60.6 
3        218.636    0.10 
4         20.336    3.00   1.77250    49.6 
5         75.668  (可変) 
6       5123.699    0.80   1.84954    40.1 
7*         5.900    3.60 
8        -11.868    0.60   1.88300    40.8 
9         44.417    0.10 
10         22.111    1.80   1.94595    18.0 
11        -29.636  (可変) 
12          ∞       8.80   1.83400    37.2 
13          ∞     (可変) 
14*         9.888    2.30   1.55332    71.7 
15*       -82.783    1.00 
16(絞り)    ∞       1.00 
17         11.031    0.70   1.84666    23.9 
18          7.420    0.70 
19*        28.087    2.00   1.55332    71.7 
20         -7.278    0.60   1.77250    49.6 
21        -17.809    0.35 
22(フレアー絞り)∞      (可変)                         
23         12.719    2.20   1.77250    49.6 
24         69.647    0.70   1.94595    18.0 
25         29.795  (可変) 
26          ∞       1.00   1.51633    64.1 
27          ∞       1.0
像面        ∞
非球面データ
第7面
K =-1.65329e-001  A 4=-1.83577e-005 
第14面
K =-2.27427e+000  A 4= 1.12081e-004  A 6=-9.48568e-007  A 8=-6.99943e-008
第15面
K = 4.80045e+001  A 4=-4.22357e-005 
第19面
K = 2.82756e+001  A 4=-2.53664e-005 
各種データ
ズーム比     9.50 
焦点距離       5.13     8.34    48.74    32.24     5.38 
Fナンバー      3.60     4.30     5.45     5.04     3.70
画角          33.31    24.92     4.55     6.85    32.96 
像高           3.37     3.88     3.88     3.88     3.49 
レンズ全長    72.16    71.67    82.16    80.41    71.53 
BF             6.79     8.24     6.65    10.95     6.86 
d 5            0.60     2.52    15.42    13.43     0.45 
d11            5.23     2.82     0.41     0.65     4.75 
d13           13.56     8.04     0.19     0.96    12.86 
d22           10.43    14.50    23.94    18.88    11.06 
d25            5.13     6.58     4.99     9.29     5.20 
ズームレンズ群データ
群  始面    焦点距離
1    1      29.31
2    6      -6.23
3   12       ∞
4   14      16.62
5   23      29.07
6   26       ∞
【００５６】
［数値実施例５］
単位 mm
面データ
面番号       r        d      nd         νd
1         34.478    1.00   1.84666    23.9 
2         19.812    4.00   1.60311    60.6 
3        134.710    0.10 
4         20.564    2.50   1.69680    55.5 
5         83.141  (可変) 
6        289.256    0.80   1.84954    40.1 
7*         5.736    3.80 
8        -11.857    0.60   1.88300    40.8 
9         38.221    0.10 
10         18.923    1.80   1.94595    18.0 
11        -33.260  (可変) 
12          ∞       8.30   1.83400    37.2 
13          ∞     (可変) 
14*         9.420    2.30   1.55332    71.7 
15*       -49.606    1.00 
16(絞り)    ∞       1.00 
17         12.186    0.70   1.84666    23.9 
18          7.627    0.70 
19*        23.586    2.00   1.55332    71.7 
20         -7.223    0.60   1.77250    49.6 
21        -16.344    0.35 
22(フレアー絞り)∞      (可変)                         
23        -22.182    0.70   1.48749    70.2 
24         69.843  (可変) 
25         15.144    2.60   1.48749    70.2 
26        -28.336  (可変) 
27          ∞       1.00   1.51633    64.1 
28          ∞       0.5
像面        ∞
非球面データ
第7面
K =-2.56130e-002  A 4=-4.70562e-005 
第14面
K =-1.56620e+000  A 4= 1.20103e-004  A 6=-1.26808e-006  A 8= 5.13438e-008
第15面
K = 2.00477e+001  A 4= 4.31458e-005
第19面
K = 1.11736e+001  A 4=-6.85687e-005
各種データ
ズーム比      9.50
焦点距離       5.13    11.92    48.74    36.08     5.87 
Fナンバー      3.31     4.77     5.74     5.24     3.56
画角          33.32    18.01     4.55     6.13    30.73 
像高           3.37     3.88     3.88     3.88     3.49 
レンズ全長    73.14    73.96    82.27    80.99    72.89 
BF             8.75     5.95     6.20     9.10     7.90 
d 5            0.60     3.91    14.73    13.20     0.85 
d11            6.01     3.51     1.01     1.26     5.51 
d13           14.35     6.45     0.18     0.56    12.93 
d22            2.33    10.24    16.50    16.13     3.75 
d24            6.15     8.95     8.70     5.80     7.00 
d26            7.59     4.79     5.04     7.95     6.74 
ズームレンズ群データ
群  始面    焦点距離
1    1      30.30
2    6      -6.17
3   12       ∞
4   14      14.66
5   23     -34.45
6   25      20.65
7   27       ∞
【００５７】
【表１】
0005645520.tif 000002
【符号の説明】
【００５８】
Ｌ１  第１レンズ群        Ｌ２  第２レンズ群      Ｌ３  第３レンズ群
Ｌ４  第４レンズ群        Ｌ５  第５レンズ群      Ｌ６  第６レンズ群
ＬＲ  後群        ｄ  ｄ線        ｇ  ｇ線        ΔＭ  メリディオナル像面
ΔＳ  サジタル像面        ＰＲ  プリズム（反射部材）        ＳＰ  絞り
ＦＰ  フレアーカット絞り        ω  半画角        Ｆｎｏ  Ｆナンバー
Ｇ    ＣＣＤのフォースプレートやローパスフィルター等のガラスブロック
【図１】
0005645520.tif 000003
【図２】
0005645520.tif 000004
【図３】
0005645520.tif 000005
【図４】
0005645520.tif 000006
【図５】
0005645520.tif 000007
【図６】
0005645520.tif 000008
【図７】
0005645520.tif 000009
【図８】
0005645520.tif 000010
【図９】
0005645520.tif 000011
【図１０】
0005645520.tif 000012
【図１１】
0005645520.tif 000013
【図１２】
0005645520.tif 000014